(57)【要約】【課題】  除塵をスムーズに行い得る除塵装置を提供する。【解決手段】  除塵装置１は、細長い取水隙間を有する除塵スクリーンと、取水隙間に沿って移動可能に設けられた掻き取り片２１と、掻き取り片２１の先端２１ａを、取水隙間の一方側から他方側へ向けて移動するときに、除塵スクリーンよりも外側に突出させ、取水隙間の他方側から一方側へ向けて移動するときに、除塵スクリーンの取水隙間内に没入させるように、掻き取り片２１を往復移動させる駆動機構２０とを具備する。【選択図】      図４
2006299755.tif 000002
【特許請求の範囲】
【請求項１】
細長い取水隙間を有する除塵スクリーンと、
上記取水隙間に沿って移動可能に設けられた掻き取り片と、
該掻き取り片の先端を、上記取水隙間の一方側から他方側へ向けて移動するときに、除塵スクリーンよりも外側に突出させ、取水隙間の他方側から一方側へ向けて移動するときに、除塵スクリーンの取水隙間内に没入させるように、掻き取り片を往復移動させる駆動機構とを具備することを特徴とする除塵装置。
【請求項２】
請求項１に記載の除塵装置において、
前記除塵スクリーンが、その取水隙間を水平方向にし、かつ、主水路の途中から分岐した取水水路の取水口に、前記一方側が主水路の上流側、前記他方側が主水路の下流側として配置されることを特徴とする除塵装置。
【請求項３】
請求項１又は２に記載の除塵装置において、
前記駆動機構は、掻き取り片の基端側を取付けるための第１リンクと、第１リンクの両端側にそれぞれ一端側が連結され相互に平行に揺動する一対の第２リンクと、これら一対の第２リンクの他端側のそれぞれに両端が連結された第３リンクと、各第２リンクの途中に連結され、その連結部を同一半径かつ同一角位相で円弧運動させる一対のてこと、両第２リンクの一方であってその他端側に一端側が連結されたクランクと、上記クランクの他端が取付られた回転軸を有し、上記クランクの一端側を円運動させて両第２リンクの他端側を同一半径かつ同一角位相で円運動させる駆動モータとを具備し、
駆動モータから付与される回転力により、第１リンクを除塵スクリーンから離れさせて取水隙間の他端側から一端側へ向けての疑似直線状の移動と、第１リンクを除塵スクリーンに接近させて取水隙間の一端側から他端側へ向けての円弧状の移動とを連続的に繰り返えさせる構成となっていることを特徴とする除塵装置。
【請求項４】
請求項３に記載の除塵装置において、
前記除塵スクリーンには上下方向に２以上の前記取水隙間が設けられ、前記第１リンクは、上下２つ又は上１つに配した水平片と、この水平片にほぼ直交する鉛直取付部とを有し、鉛直取付部に上記２以上の取水隙間の全て又は一部に対応して掻き取り片が上下方向に間隔をあけて設けられた構成となっていることを特徴とする除塵装置。
【請求項５】
請求項４に記載の除塵装置において、
前記鉛直取付部が水平方向に複数並べて水平片に設けられていることを特徴とする除塵装置。
【請求項６】
請求項５に記載の除塵装置において、
隣り合う鉛直取付部にそれぞれ設けられた掻き取り片が、主水路の上流側に位置する鉛直取付部に設けられた掻き取り片の先端の下流側死点に対し、その下流側に位置する鉛直取付部に設けられた掻き取り片の先端の上流側死点が上流側になるように配置された構成となっていることを特徴とする除塵装置。
【発明の詳細な説明】
【技術分野】
【０００１】
本発明は、河川等の取水口や合流管渠の主幹線から越流雨水幹への落ち口等に配設され、上記取水口や落ち口へゴミ等が入るのを防止するための除塵装置に関するものである。
【背景技術】
【０００２】
上述した除塵装置として、従来、複数本の軸のそれぞれに円盤（ディスク）を、間隔をあけて設けたものを備え、隣り合う軸の円盤が相互に重なり合うように千鳥状に配置され、かつ隣り合う軸を同一方向に回転するように構成したものが知られている（特許文献１参照）。
【０００３】
この除塵装置は、円盤における河川側部分でゴミ等を受け、そのゴミ等を円盤の回転により河川の下流側へ移動させるように機能するように構成されていて、円盤における河川側部分が、その河川の上流側から下流側へ移動するように軸の回転方向が設定される。
【特許文献１】特開平６−２２６０１５号公報
【発明の開示】
【発明が解決しようとする課題】
【０００４】
しかしながら、従来の除塵装置による場合には、円盤の回転により、その円盤に付着したゴミ等を下流側へ移動させようとするものの、隣り合う軸の円盤が相互に重なり合う部分では円盤の移動方向が逆になり、またゴミ等に引っ掛けて強制的に移動させ得る掻き取り部が無いため、除塵をスムーズに行い得ないという虞があった。
【０００５】
本発明は、このような従来技術の課題を解決するためになされたもので、除塵をスムーズに行い得る除塵装置を提供することを目的とする。
【課題を解決するための手段】
【０００６】
請求項１の発明に係る除塵装置は、細長い取水隙間を有する除塵スクリーンと、上記取水隙間に沿って移動可能に設けられた掻き取り片と、該掻き取り片の先端を、上記取水隙間の一方側から他方側へ向けて移動するときに、除塵スクリーンよりも外側に突出させ、取水隙間の他方側から一方側へ向けて移動するときに、除塵スクリーンの取水隙間内に没入させるように、掻き取り片を往復移動させる駆動機構とを具備することを特徴とする。
【０００７】
請求項２の発明に係る除塵装置は、請求項１に記載の除塵装置において、前記除塵スクリーンが、その取水隙間を水平方向にし、かつ、主水路の途中から分岐した取水水路の取水口に、前記一方側が主水路の上流側、前記他方側が主水路の下流側として配置されることを特徴とする。
【０００８】
請求項３の発明に係る除塵装置は、請求項１又は２に記載の除塵装置において、前記駆動機構は、掻き取り片の基端側を取付けるための第１リンクと、第１リンクの両端側にそれぞれ一端側が連結され相互に平行に揺動する一対の第２リンクと、これら一対の第２リンクの他端側のそれぞれに両端が連結された第３リンクと、各第２リンクの途中に連結され、その連結部を同一半径かつ同一角位相で円弧運動させる一対のてこと、両第２リンクの一方であってその他端側に一端側が連結されたクランクと、上記クランクの他端が取付られた回転軸を有し、上記クランクの一端側を円運動させて両第２リンクの他端側を同一半径かつ同一角位相で円運動させる駆動モータとを具備し、駆動モータから付与される回転力により、第１リンクを除塵スクリーンから離れさせて取水隙間の他端側から一端側へ向けての疑似直線状の移動と、第１リンクを除塵スクリーンに接近させて取水隙間の一端側から他端側へ向けての円弧状の移動とを連続的に繰り返えさせる構成となっていることを特徴とする。
【０００９】
請求項４の発明に係る除塵装置は、請求項３に記載の除塵装置において、前記除塵スクリーンには上下方向に２以上の前記取水隙間が設けられ、前記第１リンクは、上下２つ又は上１つに配した水平片と、この水平片にほぼ直交する鉛直取付部とを有し、鉛直取付部に上記２以上の取水隙間の全て又は一部に対応して掻き取り片が上下方向に間隔をあけて設けられた構成となっていることを特徴とする。
【００１０】
請求項５の発明に係る除塵装置は、請求項４に記載の除塵装置において、前記鉛直取付部が水平方向に複数並べて水平片に設けられていることを特徴とする。
【００１１】
請求項６の発明に係る除塵装置は、請求項５に記載の除塵装置において、隣り合う鉛直取付部にそれぞれ設けられた掻き取り片が、主水路の上流側に位置する鉛直取付部に設けられた掻き取り片の先端の下流側死点に対し、その下流側に位置する鉛直取付部に設けられた掻き取り片の先端の上流側死点が上流側になるように配置された構成となっていることを特徴とする。
【発明の効果】
【００１２】
本発明による場合には、掻き取り片の先端が、除塵スクリーンよりも外側に突出したとき取水隙間の一方側から他方側へ向けて移動するので、除塵スクリーンに付着したゴミ等を掻き取り片で強制的に他方側へ移動させることができる。また、掻き取り片が元の位置に戻るとき掻き取り片の先端が除塵スクリーンの取水隙間内を通るように引っ込むので、他方側へ移動させたゴミ等と干渉することが無い。
【００１３】
請求項２の発明による場合には、掻き取り片の先端が、除塵スクリーンよりも主水路側に突出したとき主水路の上流側から下流側へ向けて移動するので、除塵スクリーンに付着したゴミ等を掻き取り片で強制的に下流側へ移動させながら、主水路の水流で流し去ることができる。また、掻き取り片が元の位置に戻るとき掻き取り片の先端が除塵スクリーンの取水隙間内を通るように引っ込むので、下流側へ移動させたゴミ等と干渉することが無い。
【００１４】
請求項３の発明による場合には、駆動モータの回転力を受けてクランクが回転すると、一対の第２リンクの他端側が同一半径かつ同一角位相で円運動する。このとき、一対の第２リンクの途中がてこで拘束されて同一半径かつ同一角位相で円弧運動するので、一対の第２リンクが相互に平行に揺動することになる。その結果、掻き取り片が取付けられる第１リンクが、除塵スクリーンから離れた疑似直線移動と除塵スクリーンに接近した円弧移動とを連続的に繰り返えす。よって、クランクの円運動を、第１リンクにおける疑似直線移動と円弧移動との連続繰り返し移動に変換させることができ、簡単な駆動源で複雑な軌跡移動を実現させ得る。
【００１５】
請求項４の発明による場合には、除塵スクリーンが上下方向に２以上の取水隙間を有するので、取水水路の深さに対応して除塵スクリーンを設けることができ、かつ、上下方向に複数設けた掻き取り片を同じ動きで往復移動させ得る。この場合において、ゴミ等の移動だけを目的とするときは掻き取り片を取水隙間の一部に対して配すればよく、ゴミ等の移動だけでなく、全取水隙間での目詰まりを防止することを目的とするときは、掻き取り片を取水隙間の全てに対して配ればよい。また、この場合において、水平片を上１つに配した第１リンクでは、鉛直取付部が垂下状態で水平片に設けられる構成とされる。
【００１６】
請求項５の発明による場合には、除塵スクリーンが水平方向に長いものであっても、対応し得る。
【００１７】
請求項６の発明による場合には、上流側の掻き取り片で主水路の下流側へ移動させたゴミ等の上流側に、下流側の掻き取り片の先端が除塵スクリーンの主水路側へ突出してくるので、ゴミ等を順次主水路の下流側へ確実に移動させることが可能となるとともにゴミ等との干渉を確実に防止することができる。
【発明を実施するための最良の形態】
【００１８】
以下に、本発明を具体的に説明する。
【００１９】
図１は本実施形態に係る除塵装置の設置箇所を示す平面図であり、図２はその除塵装置を示す正面図、図３はその除塵装置から除塵スクリーンを外した状態を示す正面図、図４は図２の平面図、図５は図２の右側面図である。
【００２０】
この実施形態の除塵装置１は、図１に示すように、この図示例では左側から右側へ向けて水が流れる主水路２から分岐した取水水路３の取水口４に配置されている。より詳細には、除塵装置１は、図４及び図５に示すように上下と両側面の４面が連結された枠体６を備え、この枠体６が、取水口４に設けた段付き部５に固定することで取付けられている。上記段付き部５は、取水水路３の幅Ｌ１よりも取水口４の幅Ｌ２を広くすることにより形成されている。なお、取水口４は、例えばコンクリートなどで形成されている。
【００２１】
上記除塵装置１は、ゴミ等を付着させて除塵するための除塵スクリーン１０を有する。この除塵スクリーン１０は、枠体６の両側面の手前側に、横長のスクリーン板１１を掛け渡して形成されたもので、各スクリーン板１１は水平にして縦方向（鉛直方向）に多数配され、間に横方向（水平方向）に細長い取水隙間１２が縦方向に多数設けられている。スクリーン板１１及び取水隙間１２の数は、取水水路３の深さに応じて適宜対応させればよい。なお、取水隙間１２の幅寸法（上下方向の寸法）は、例えばこの例では４ｍｍ程度に設定されている。
【００２２】
また、除塵装置１は、除塵スクリーン１０に付着したゴミ等の除去を行うための掻き取り片２１と、その掻き取り片２１を移動させるための駆動機構２０とを有する。
【００２３】
掻き取り片２１は、本実施形態では全ての取水隙間１２に対応して上下方向に多数配置されているとともに、取水隙間１２の水平方向の長さに対応して横方向に複数列、例えば５列で配置されている。
【００２４】
駆動機構２０は、掻き取り片２１の先端２１ａを、主水路２の上流側から下流側へ向けて移動するときに、除塵スクリーン１０よりも主水路２側に突出させ、主水路２の下流側から上流側へ向けて移動するときに、除塵スクリーン１０の取水隙間１２内に没入させるように、掻き取り片２１を往復移動させるように構成されている。なお、掻き取り片２１の厚みは、取水隙間１２の幅寸法よりも若干短く設定される。
【００２５】
駆動機構２０の構成を以下に詳述する。
【００２６】
駆動機構２０は、掻き取り片２１の基端側２１ｂを取付けるための第１リンク２２と、第１リンク２２の両端側２２ａ、２２ｂにそれぞれ一端側２３ａが連結され相互に平行に揺動する左右一対の第２リンク２３と、これら一対の第２リンク２３の他端側２３ｃに両端部が連結された第３リンク２７と、左右の各第２リンク２３の途中に連結され、その連結部２３ｂを同一半径かつ同一角位相で円弧運動させる左右一対のてこ２４と、右側の第２リンク２３の他端側２３ｃに連結されたクランク２５と、そのクランク２５に円運動を行わせるための回転力を付与し、両第２リンク２３の他端側２３ｃを同一半径かつ同一角位相で円運動させる駆動モータ２６とを具備する。上記第１リンク２２、第２リンク２３、第３リンク２７及びてこ２４は、上下に各一組づつ設けられ、駆動モータ２６及びクランク２５は上側に１つ設けられている。駆動モータ２６としては、油圧モータまたは電動モータが用いられる。
【００２７】
上下２つの第１リンク２２の間には、横方向に複数列、図示例では５列の鉛直取付部３１が上下方向に掛け渡され、各鉛直取付部３１には上下方向に間隔をあけて掻き取り片２１の基端側２１ｂが取付けられている。掻き取り片２１の配置は、上述した通りである。
【００２８】
また、上下２つの第１リンク２２の両端部には、それぞれ第１軸３２が設けられていて、各第１軸３２には第２リンク２３の一端側２３ａが連結されている。
【００２９】
各第２リンク２３とてこ２４との連結部２３ｂには第２軸３３が設けられ、その第２軸３３により第２リンク２３とてこ２４の先端側とが連結されている。
【００３０】
また、左右の第２リンク２３の他端側２３ｃには第３軸３４が設けられ、左右の第３軸３４により第３リンク２７の両端部と第２リンク２３の他端側２３ｃとが連結され、かつ一方（右側）の第３軸３４により第２リンク２３の他端側２３ｃとクランク２５の先端側とが連結されている。
【００３１】
上記てこ２４の基端側は、枠体６から内方に延びる一対の固定片７に連結されていて、てこ２４の基端側と固定片７との連結部には第４軸３５が設けられており、右側の長い固定片７とクランク２５の基端側との連結部には第５軸３６が設けられている。
【００３２】
また、左右の各第２リンク２３の長さ（第１軸３２と第３軸３４との距離）、左右の各てこ２４の長さ（第２軸３３と第４軸３５との距離）及び第１リンク２２の長さ（左右の第１軸３２間の距離）と第３リンク２７の長さ（左右の第３軸３４間の距離）をそれぞれ同一とし、第３軸３４が、図６に示すように同一半径かつ同一角位相で円運動し、かつ、２つのてこ２４の先端側、つまり第２軸３３が同一半径かつ同一角位相で円弧運動するように、これらの位置関係及び長さ関係を設定する。なお、図７に、第２リンク２３の片方側の移動軌跡のより詳細を示す。図６及び７中の掻き取り片２１の先端２１ａの数字と、第３軸３４の数字とは、タイミングの対応を示すものである。
【００３３】
このように設定することで、駆動モータ２６から付与される回転力によりクランク２５が回転すると、左右の第２リンク２３が相互に平行な状態で同一水平面上を揺動しかつ前後方向及び左右方向に変位することになる。換言すると、第１リンク２２、第２リンク２３及び第３リンク２７で構成される平行四辺形の形が、第１リンク２２と第２リンク２３との内角を変えるように変化するとともに、第１リンク２２が左右方向の移動軌跡上を移動した後に前側に突出する円弧状に移動し、その後、前記左右方向の移動軌跡上を移動することを繰り返す。
【００３４】
これに伴い、掻き取り片２１が往復移動する。詳細には、図６に示すように第１リンク２２に取付けられた掻き取り片２１の先端２１ａは、掻き取り片２１が主水路２の上流側から下流側へ向けて移動するときに、スクリーン板１１よりも主水路２側に突出して円弧状（Ａ）に移動し、掻き取り片２１が主水路２の下流側から上流側へ向けて移動するときに、除塵スクリーン１０の取水隙間１２内に没入して疑似直線状（Ｂ）に移動し、円弧状（Ａ）の移動と疑似直線状（Ｂ）の移動とを連続的に繰り返す。
【００３５】
したがって、この実施形態による場合には、掻き取り片２１の先端２１ａが、除塵スクリーン１０よりも主水路２側に突出したとき主水路２の上流側から下流側へ向けて移動するので、除塵スクリーン１０に付着したゴミ等を掻き取り片２１で強制的に下流側へ移動させながら、主水路２の水流で流し去ることができる。また、掻き取り片２１が元の位置に戻るとき掻き取り片２１の先端２１ａが除塵スクリーン１０の取水隙間１２内を通るように引っ込むので、下流側へ移動させたゴミ等と干渉することが無い。また、取水隙間１２の全部に対して掻き取り片２１を配置しているので、ゴミ等の移動だけでなく、取水隙間１２にゴミ等が目詰まりするのも防止することができる。更に、クランク２５の円運動を、第１リンク２２における円弧移動と疑似直線移動との連続繰り返し移動に変換させることができ、簡単な駆動源、つまり駆動モータ２６で複雑な軌跡移動を実現させ得る。
【００３６】
また、図６に示したように、この実施形態による場合には、掻き取り片２１を水流方向に複数列（図示例では５列）で設けているので、除塵スクリーン１０が水平方向に長いものであっても、対応し得ることは勿論である。更に、隣り合う鉛直取付部３１にそれぞれ設けられた掻き取り片２１が、主水路２の上流側に位置する鉛直取付部３１に設けられた掻き取り片２１の先端２１ａの下流側死点（Ｃ）に対し、その下流側に位置する鉛直取付部３１に設けられた掻き取り片２１の先端２１ａの上流側死点（Ｄ）が上流側になるように配置された構成とすることで、上流側の掻き取り片２１で主水路２の下流側へ移動させたゴミ等の上流側に、下流側の掻き取り片２１の先端２１ａが除塵スクリーン１０の主水路２側へ突出してくるので、ゴミ等を順次主水路２の下流側へ確実に移動させることが可能となるとともにゴミ等との干渉を確実に防止することができる。
【００３７】
なお、上述した実施形態においては、上下２つの第１リンク２２の間に掛け渡した鉛直取付部３１に掻き取り片２１を取付けるように構成しているが、本発明はこれに限らない。図８（正面図）及び図９（右側面図）に示すように、第１リンク２２を上側のみ設け、鉛直取付部３１を垂下状態で設け、その鉛直取付部３１に掻き取り片２１を上下方向に間隔をあけて取付ける構成としてもよい。
【００３８】
この構成による場合には、水面よりも上側に、駆動機構２０を配置させることができ、その駆動機構２０にゴミ等が付着することを防止することができるという利点がある。また、第１リンク２２、第２リンク２３、第３リンク２７、てこ２４及びクランク２５も、上側のみに設ければよい。
【００３９】
また、図８及び図９に示す構成では、駆動機構２０をボックス４０で覆っているので、ゴミ等の付着防止をより向上させ得る。この構成において、鉛直取付部３１は水面下に配置させる必要があるため、ボックス４０の下面（底面）に鉛直取付部３１の移動を許容する開口４１を形成する必要性がある。この場合において、その開口４１を塞ぎ、かつ鉛直取付部３１の移動を確保するゴミ侵入防止手段４２が開口４１部分に設けられる。そのゴミ侵入防止手段４２としては、図１０に示すように、大小２種類のゴミ侵入防止部材４３、４４を有し、大きい方のゴミ侵入防止部材４３で開口４１を塞ぎ、そのゴミ侵入防止部材４３に鉛直取付部３１がそれぞれ挿通し得るように設けられた長孔４３ａを小さい方のゴミ侵入防止部材４４でほぼ塞ぐ構成としている。なお、ゴミ侵入防止手段としては、他の構成としてもよい。
【００４０】
更に、上述した実施形態においては、取水隙間の全部に対して掻き取り片を配置する構成としているが、本発明はこれに限らず、取水隙間の一部に対して掻き取り片を配置する構成としてもよい。その場合の取水隙間に対する掻き取り片の配置は、１つおき、或いは２つ以上おきにしてもよい。或いは、掻き取り片を取付ける鉛直取付部が複数設けられ場合は、隣り合う鉛直取付部での掻き取り片の取付け位置を上下方向で異ならせてもよい。このような構成とした場合においても、ゴミ等の下流側への移動を確実に行うようにすることができる。
【００４１】
更に、また、上述した実施形態では除塵装置を河川等の取水口に設けているが、本発明の除塵装置１は、図１１に示すように合流管渠の主幹線５０から越流雨水幹５１への落ち口Ｅに前同様に設けたり、或いは越流雨水幹５１の受け口Ｆに設けることもできる。この図１１のＦに設ける場合には、除塵スクリーンを上向きに水平にして配置し、掻き取り片の先端が、取水隙間の一方側から他方側へ向けて移動するときに、除塵スクリーンよりも外側（上側）に突出させ、取水隙間の他方側から一方側へ向けて移動するときに、除塵スクリーンの取水隙間内に没入させるように構成することで、除塵スクリーンに付着したゴミ等を掻き取り片で強制的に他方側へ移動させることができる。また、掻き取り片が元の位置に戻るとき掻き取り片の先端が除塵スクリーンの取水隙間内を通るように引っ込むので、他方側へ移動させたゴミ等と干渉することが無い。
【図面の簡単な説明】
【００４２】
【図１】本発明の一実施形態に係る除塵装置の設置箇所を示す平面図である。
【図２】図１の除塵装置を示す正面図である。
【図３】図１の除塵装置から除塵スクリーンを外した状態を示す正面図である。
【図４】図２の平面図である。
【図５】図２の右側面図である。
【図６】図４の駆動機構の動作説明図である。
【図７】図６の駆動機構に備わった一対の第２リンクの片方側の詳細な動作説明図である。
【図８】本発明の他の実施形態に係る除塵装置を示す正面図である。
【図９】図８の右側面図である。
【図１０】図８に示す除塵装置におけるゴミ侵入防止手段の説明図であり、（ａ）は正面図、（ｂ）は底面図である。
【図１１】本発明の除塵装置の他の適用箇所を示す図である。
【符号の説明】
【００４３】
１    除塵装置
１０    除塵スクリーン
１２    取水隙間
２０    駆動機構
２１    掻き取り片
２１ａ    先端
２２    第１リンク
２３    第２リンク
２４    てこ
２５    クランク
２６    駆動モータ
２７    第３リンク
Ａ    円弧状
Ｂ    疑似直線状
Ｃ    下流側死点
Ｄ    上流側死点
【図１】
2006299755.tif 000003
【図２】
2006299755.tif 000004
【図３】
2006299755.tif 000005
【図４】
2006299755.tif 000006
【図５】
2006299755.tif 000007
【図６】
2006299755.tif 000008
【図７】
2006299755.tif 000009
【図８】
2006299755.tif 000010
【図９】
2006299755.tif 000011
【図１０】
2006299755.tif 000012
【図１１】
2006299755.tif 000013